(57)【特許請求の範囲】
【請求項１】
ユーザから、映像信号のＲ信号、Ｇ信号、Ｂ信号の少なくともいずれかに対するゲイン調整値の入力を受け付ける操作部と、
前記映像信号のＲ信号、Ｇ信号、Ｂ信号のそれぞれと入力されたゲイン調整値とを演算してゲインを求め、前記Ｒ信号のゲイン、前記Ｇ信号のゲイン、前記Ｂ信号のゲインを出力するゲイン調整部と、
前記Ｒ信号のゲイン、前記Ｇ信号のゲイン、前記Ｂ信号のゲインのいずれかが１倍以上であるか否かを判断する判断部と、
前記判断部により前記１倍以上であると判断された場合に、前記映像信号のコントラスト値を減少させるコントラスト調整部と、を備え、
前記ゲイン調整部は、前記判断部により前記１倍以上であると判断された場合に、前記コントラスト値を減少した映像信号の前記Ｒ信号、前記Ｇ信号、前記Ｂ信号のそれぞれと前記入力されたゲイン調整値とを演算して前記ゲインを求める、
映像処理装置。
【請求項２】
前記ゲイン調整部は、前記判断部により前記１倍以上であると判断された場合に、前記コントラスト値を減少した映像信号の前記Ｒ信号、前記Ｇ信号、前記Ｂ信号のそれぞれと前記入力されたゲイン調整値とを加算してゲインを求める、
請求項１に記載の映像処理装置。
【請求項３】
前記Ｒ信号、前記Ｇ信号、前記Ｂ信号のゲイン調整後の映像信号を表示する表示部、
をさらに備える請求項１または２に記載の映像処理装置。
【請求項４】
ユーザから、映像信号のＲ信号、Ｇ信号、Ｂ信号の少なくともいずれかに対するゲイン調整値の入力を受け付ける入力受付けステップと、
前記映像信号のＲ信号、Ｇ信号、Ｂ信号のそれぞれと入力されたゲイン調整値とを演算してゲインを求め、前記Ｒ信号のゲイン、前記Ｇ信号のゲイン、前記Ｂ信号のゲインを出力するゲイン調整ステップと、
前記Ｒ信号のゲイン、前記Ｇ信号のゲイン、前記Ｂ信号のゲインのいずれかが１倍以上であるか否かを判断する判断ステップと、
前記判断ステップにより前記１倍以上であると判断された場合に、前記映像信号のコントラスト値を減少させるコントラスト調整ステップと、を含み、
前記ゲイン調整ステップは、前記判断ステップにより前記１倍以上であると判断された場合に、前記コントラスト値を減少した映像信号の前記Ｒ信号、前記Ｇ信号、前記Ｂ信号のそれぞれと前記入力されたゲイン調整値を演算して前記ゲインを求める、
映像処理方法。
【発明の詳細な説明】
【技術分野】
【０００１】
本発明の実施形態は、映像処理装置および方法に関する。
【背景技術】
【０００２】
従来から、デジタルテレビ等の映像表示装置では、表示パネルのバラツキや、経年変化によって変化する表示パネルのホワイトバランスを補正するために、ユーザに対して、映像信号のＲ信号、Ｇ信号、Ｂ信号の各ゲイン調整を行わせることを可能としている。
【先行技術文献】
【特許文献】
【０００３】
【特許文献１】特開２００３−２９９１１８号公報
【発明の概要】
【発明が解決しようとする課題】
【０００４】
しかしながら、このような従来技術では、ＲＧＢ各信号のゲイン調整の結果、ＲＧＢ各信号のいずれかの振幅が大きくなってしまうと、当該信号が映像処理回路ブロックのダイナミックレンジの制限により飽和してしまう。このため、従来技術では、ホワイトバランスの均一性を維持することが困難となり、高品質な映像の出力が困難となる。例えば、Ｂ信号がゲイン調整の結果、明部側のホワイトバランスの均一性が崩れてしまい、明るいシーンが黄ばんでしまう。
【課題を解決するための手段】
【０００５】
実施形態の映像処理装置は、操作部と、ゲイン調整部と、判断部と、コントラスト調整部とを備える。操作部は、ユーザから、映像信号のＲ信号、Ｇ信号、Ｂ信号の少なくともいずれかに対するゲイン調整値の入力を受け付ける。ゲイン調整部は、映像信号のＲ信号、Ｇ信号、Ｂ信号のそれぞれと入力されたゲイン調整値とを演算してゲインを求め、Ｒ信号のゲイン、Ｇ信号のゲイン、Ｂ信号のゲインを出力する。判断部は、Ｒ信号のゲイン、Ｇ信号のゲイン、Ｂ信号のゲインのいずれかが１倍以上であるか否かを判断する。コントラスト調整部は、判断部により１倍以上であると判断された場合に、映像信号のコントラスト値を減少させる。ゲイン調整部は、判断部により１倍以上であると判断された場合に、コントラスト値を減少した映像信号のＲ信号、Ｇ信号、Ｂ信号のそれぞれと入力されたゲイン調整値とを演算してゲインを求める。
【図面の簡単な説明】
【０００６】
【図１】図１は、実施の形態１にかかるデジタルテレビの構成図である。
【図２】図２は、実施の形態１の映像処理部の機能的構成を主として示すブロック図である。
【図３】図３は、実施の形態１の色温度の調整画面の一例を示す図である。
【図４】図４は、実施の形態１のゲイン調整部によるゲインの算出例を示す図である。
【図５】図５は、実施の形態１のＣＩＥ色度図である。
【図６】図６は、実施の形態１におけるＲ，Ｇ，Ｂ各信号の入力と出力の関係図である。
【図７】図７は、実施の形態１においてＲ，Ｇ，Ｂ各信号のゲインが１倍未満となった場合の例を示す図である。
【図８】図８は、実施の形態１においてＲ，Ｇ，Ｂ各信号のゲインのうちＲ信号のゲインが１倍以上となった場合の例を示す図である。
【図９】図９は、実施の形態１の映像処理の手順を示すフローチャートである。
【図１０】図１０は、実施の形態２の映像処理部の機能的構成を示すブロック図である。
【図１１】図１１は、実施の形態２の表示部のガンマ特性の一例を示す図である。
【図１２】図１２は、実施の形態２の映像処理の手順を示すフローチャートである。
【発明を実施するための形態】
【０００７】
以下、添付図面を参照して実施形態の映像処理装置及び方法を詳細に説明する。なお、以下の実施の形態では映像処理装置として、デジタル放送の受信用チューナーを搭載するデジタルテレビを例にあげて説明する。ただし、実施の形態では映像処理装置としては、デジタルテレビに限定されるものではなく、放送波を受信するチューナを備え、映像を処理して外部接続された表示装置に出力するハードディスクレコーダやセットトップボックス等の機器であってもよい。
【０００８】
（実施の形態１）
図１は、実施の形態１にかかるデジタルテレビ１の構成を示すブロック図である。図１に示すように、デジタルテレビ１は、アンテナ２と、デジタル放送の受信用のチューナー３と、信号処理部４と、映像処理部５と、表示処理部６と、表示部７と、音声処理部８と、スピーカー９と、制御部１０と、通信ライン１１と、ＲＡＭ１２（Ｒａｎｄｏｍ  Ａｃｃｅｓｓ  Ｍｅｍｏｒｙ）と、ＲＯＭ１３（Ｒｅａｄ  Ｏｎｌｙ  Ｍｅｍｏｒｙ）と、操作部１４と、受光部１５と、入出力部１６と、通信部１７とを主に備えている。
【０００９】
アンテナ２は、ＢＳ、ＣＳ、地上波等のデジタル放送を受信する。チューナー３は、ユーザーが指示した視聴用のチャンネルを選局する。信号処理部４は、制御部１０の制御のもと、チューナー３で復調された信号や入出力部１６より入力された信号を様々なデジタル信号として取り出し処理する。また、信号処理部４では、入力された信号を映像信号と音声信号とに分離し、映像信号を映像処理部５へ、音声信号を音声処理部８へ出力する。
【００１０】
映像処理部５は、信号処理部４から入力した映像信号に対して、コントラスト調整や、ユーザの操作部１４からの指示によるＲＧＢ各信号のゲイン調整（色温度調整）や、ガンマ補正などを行う。ここで、コントラスト調整、ＲＧＢ各信号のゲイン調整の詳細については後述する。
【００１１】
また、映像処理部５は、信号処理部４から入力した映像信号を正しい画面サイズに調整したり、映像についての画質を改善する画質処理として、映像信号に含まれるノイズを除去する処理等を行う。
【００１２】
表示処理部６は、調整後の映像信号に対して、さらに文字情報等のＯＳＤ（Ｏｎ−Ｓｃｒｅｅｎ  Ｄｉｓｐｌａｙ）表示を重ねる。表示部７は、映像信号を画面に表示する。そして、ユーザは表示部７の画面を見ることにより、テレビ映像を見る。音声処理部８は、音声信号を音響処理するとともに増幅する。スピーカー９は、音声信号を音声として出力する。そして、視聴者はスピーカー９からの音声を聴くことにより、テレビ音声を聴く。
【００１３】
制御部１０は、デジタルテレビ１の各部を制御する。制御部１０は、具体的にはマイクロコントローラであり、ＲＯＭ１３に記憶されたプログラムをＲＡＭ１２に展開して順次実行することで、デジタルテレビ１の各部に制御信号を出力して、デジタルテレビ１の動作を中央制御する。
【００１４】
通信ライン１１は、チューナー３、信号処理部４、映像処理部５、表示処理部６、音声処理部８、および、制御部１０を互いに接続し、制御部１０と、チューナー３、信号処理部４、映像処理部５、表示処理部６及び音声処理部８の間で、データの受け渡しを行う。通信ライン１１は、具体的にはＩＩＣ−ＢＵＳなどであってよい。ＲＡＭ１２およびＲＯＭ１３は、様々なデータを記憶しており、制御部１０との間で、これらのデータの受け渡しが行われる。
【００１５】
操作部１４は、視聴者の操作指示を受け付けるスイッチである。受光部１５は、視聴者の操作指示を受け付けたリモコン４０が発信する信号を受信する。ユーザは、リモコン４０の各種ボタンを操作することで、デジタルテレビ１及びデジタルテレビ１と接続する各機器を操作することができる。操作部１４およびリモコンが、デジタルテレビ１の操作部として機能する。
【００１６】
次に、映像処理部５の詳細について説明する。図２は、実施の形態１の映像処理部５の機能的構成を主として示すブロック図である。なお、図２では、映像処理部５のうち、コントラスト調整、ＲＧＢ各信号のゲイン調整およびガンマ補正を行う処理部を示し、正しい画面サイズへの調整処理やノイズ除去処理に関する処理部を省略している。
【００１７】
映像処理部５は、図２に示すように、コントラスト調整部２０１と、ゲイン調整部２０２と、ガンマ補正部２０３と、判断部２０４とを主に備えている。
【００１８】
また、図２には、操作部１４と制御部１０も示している。操作部１４は、表示部７に表示した色温度の調整画面を介して、ユーザにＲＧＢ各信号のゲイン調整のゲイン調整値を入力させる。図３は、色温度の調整画面の一例を示す図である。図３に示すように、色温度の調整画面では、Ｒ，Ｇ，Ｂの各信号ごとに、−１５から＋１５の範囲で１メモリ単位に、ゲイン調整値を指定可能となっている。
【００１９】
図２に戻り、制御部１０は、操作部１４からユーザが１メモリ単位に入力されたゲイン調整値を逐次受け付けて、映像処理部５へ受け渡す。
【００２０】
ゲイン調整部２０２は、映像信号を構成するＲ、Ｇ、Ｂ各信号それぞれについて、ホワイトバランスを維持するためのホワイトバランス調整値と、操作部１４から制御部１０を介して入力されたゲイン調整値とを加算してゲインを求め、Ｒ信号のゲイン、Ｇ信号のゲイン、Ｂ信号のゲインをゲイン調整後の映像信号として出力する。
【００２１】
図４は、ゲイン調整部２０２によるゲインの算出例を示す図である。図４の例では、色温度の調整画面で、Ｒ信号に対してゲイン調整値「＋２」が指定され、Ｇ信号に対してゲイン調整値「０」が指定され、Ｂ信号に対してゲイン調整値「＋５」が指定された例を示している。なお、図４の例において、数値は１６進数で表している。
【００２２】
ゲイン調整部２０２に入力される映像信号は、ホワイトバランスの調整がなされており、ホワイトバランス調整値として、Ｒ＝０ｘ７６、Ｇ＝０ｘ７０、Ｂ＝０ｘ８０が入力される。この場合、ゲイン調整部２０２は、このホワイトバランス調整値として設定されている映像信号のＲ，Ｇ，Ｂの各信号のそれぞれの値に、ユーザから指定された上記のゲイン調整値を加算してゲイン（出力信号）を求める。
【００２３】
判断部２０４は、ゲイン調整部２０２で算出された、Ｒのゲイン、Ｇのゲイン、Ｂのゲインのいずれかが１倍以上であるか否かを判断する。
【００２４】
コントラスト調整部２０１は、信号処理部４から映像信号を入力し、映像信号に対してコントラスト調整を行う。特に、コントラスト調整部２０１は、判断部２０４によって、Ｒのゲイン、Ｇのゲイン、Ｂのゲインのいずれかが１倍以上である場合に、ゲインやゲイン調整値に応じて入力される映像信号のコントラスト値を減少させて、コントラスト値が減少した映像信号を、再度、ゲイン調整部２０２に出力する。
【００２５】
これにより、ゲイン調整部２０２は、コントラスト値が減少した映像信号のＲ、Ｇ、Ｂ各信号それぞれに対して、ユーザから入力されたゲイン調整値を用いてゲインを算出し、Ｒ信号のゲイン、Ｇ信号のゲイン、Ｂ信号のゲインをゲイン調整後の映像信号として出力する。このため、Ｒ信号のゲイン、Ｇ信号のゲイン、Ｂ信号のゲインはいずれも１倍未満となり、ホワイトバランスの均一性が維持されることになる。
【００２６】
上記のとおり、Ｒのゲイン、Ｇのゲイン、Ｂのゲインのいずれかが１倍以上である場合に、コントラスト調整部２０１は、ゲイン調整後の映像信号のコントラストを減少させて、ゲイン調整部２０２でゲイン調整を行わせることにより、ゲイン調整後の映像信号のゲインを減少させる調整処理を行っている。
【００２７】
図２に戻り、ガンマ補正部２０３は、ゲイン調整後の映像信号に対して公知のガンマ補正を行う。
【００２８】
以下、Ｒ，Ｇ，Ｂ各信号のゲイン調整とコントラスト調整の詳細について説明する。図５は、ＣＩＥ色度図を示している。図５の色度図において、範囲３０１が白色のＲＧＢ値の範囲であり、符号３０２は、黒体輻射の色軌跡を示している。この白色の範囲３０１の値でＲ，Ｇ，Ｂの各信号のゲイン調整を行うことにより、ホワイトバランスを維持することができる。
【００２９】
図６は、Ｒ，Ｇ，Ｂ各信号の入力と出力の関係を示す図である。図６では、Ｒ，Ｇ，Ｂ各信号は、図５の白色の範囲３０１のホワイトバランス調整値を採るように設計されている。従って、Ｒ，Ｇ，Ｂ各信号のゲイン調整により、出力信号（ゲイン）が、符号４０１の場合のように、ダイナミックレンジの２５５以下となる場合には、ホワイトバランスは崩れない。
【００３０】
しかしながら、Ｒ，Ｇ，Ｂ各信号のゲイン調整により、いずれかの出力信号（ゲイン）が１倍以上となって２５５に達して飽和した場合、例えば、符号４０２の場合のように、Ｂ信号が２５５に飽和した場合には、Ｒ，Ｇ，Ｂのゲインは、図５に示す白色の範囲３０１からＢの方向に逸脱して映像信号は青白くなってしまい、ホワイトバランスが崩れてしまう。
【００３１】
このため、本実施の形態では、判断部２０４によって、Ｒ，Ｇ，Ｂ各信号のうちいずれかの信号のゲインが１倍以上になったと判断された場合に、コントラスト調整部２０１で映像信号のコントラストを減少させて出力して、出力値を下げた状態の映像信号をゲイン調整部２０２で入力し、この出力値が低い映像信号に対して、ユーザが指定したゲイン調整値で再度ゲイン調整を行って、ガンマ補正部２０３に出力することにより、ホワイトバランスが崩れないようにしている。
【００３２】
以下、例をあげて説明する。図７は、ゲイン調整の結果、Ｒ，Ｇ，Ｂ各信号のゲインが１倍未満となった場合の例を示す図である。出力値２３５の映像信号がコントラスト調整部２０１に入力されると、コントラスト調整部２０１は、この映像信号をそのままゲイン調整部２０２に出力する。
【００３３】
ゲイン調整部２０２は、コントラスト調整部２０１から出力された出力値２３５の映像信号を入力し、ユーザが操作部１４から入力したゲイン調整値により、出力値２３５の映像信号の各ＲＧＢ信号に対してゲイン調整を行ってゲインを求める。判断部２０４は、各ＲＧＢ信号のゲインが１倍以上か否かを判断した結果、図７に示すように、各ＲＧＢ信号のゲインがいずれも１倍未満であったとする。
【００３４】
この場合、ゲイン調整部２０２は、ゲイン調整後の各ＲＧＢ信号からなる映像信号をガンマ補正部２０３に出力する。
【００３５】
図８は、ゲイン調整の結果、Ｒ，Ｇ，Ｂ各信号のゲインのうちＲ信号のゲインが１倍以上となった場合の例を示す図である。出力値２３５の映像信号がコントラスト調整部２０１に入力されると、コントラスト調整部２０１は、この映像信号をそのままゲイン調整部２０２に出力する。
【００３６】
ゲイン調整部２０２は、コントラスト調整部２０１から出力された出力値２３５の映像信号を入力し、ユーザが操作部１４から入力したゲイン調整値により、出力値２３５の映像信号の各ＲＧＢ信号に対してゲイン調整を行ってゲインを求める。判断部２０４は、各ＲＧＢ信号のゲインが１倍以上か否かを判断した結果、図８（ａ）に示すように、Ｒ信号のゲインが１．２０倍であり、１倍以上となったとする。
【００３７】
この場合、ゲイン調整部２０２がゲイン調整後の各ＲＧＢ信号からなる映像信号を、そのままガンマ補正部２０３に出力すると、出力値がダイナミックレンジの制限値２５５を超えてしまい、ホワイトバランスを維持できなくなってしまう（図５，図６参照）。
【００３８】
このため、このような場合には、図８（ｂ）に示すように、ゲイン調整部２０２、判断部２０４は、ゲイン調整後の各ＲＧＢ信号からなる映像信号を、コントラスト調整部２０１に出力する。そして、コントラスト調整部２０１は、図８（ｂ）に示すように、ゲイン調整後の映像信号のコントラストを、例えば、０．９倍とすることにより減少させて、出力値２１１とする。そして、コントラスト調整部２０１は、コントラストが減少した出力値２１１の映像信号をゲイン調整部２０２に出力する。
【００３９】
ゲイン調整部２０２は、コントラストが減少した出力値２１１の映像信号の各ＲＧＢ信号に対して、Ｒ信号のゲインを１倍以上としたゲイン調整値と同一のユーザ指定のゲイン調整値によりゲイン調整を行ってゲインを求める。この場合には、入力される映像信号のコントラストが減少して出力値２１１となっているため、ゲイン調整値は同一であるにもかかわらず、ゲイン調整後の映像信号の出力値は２５５以下となってガンマ補正部２０３に出力されるため、ホワイトバランスを維持することができる。
【００４０】
次に、以上のように構成された本実施の形態の映像処理について説明する。図９は、実施の形態１の映像処理の手順を示すフローチャートである。
【００４１】
まず、ゲイン調整部２０２は、操作部１４、制御部１０を介してユーザから、Ｒ，Ｇ，Ｂ各信号に対するゲイン調整値を１メモリ単位に入力する（ステップＳ１１）。そして、ゲイン調整部２０２は、Ｒ，Ｇ，Ｂ各信号のゲイン調整値を示す変数Ｎを１インクリメントする（ステップＳ１２）。
【００４２】
次に、ゲイン調整部２０２は、Ｒ，Ｇ，Ｂ各信号のゲイン調整値Ｎが最大値である１５を超えたか否かを判断し（ステップＳ１３）、ゲイン調整値Ｎが１５を超えた場合には（ステップＳ１３：Ｙｅｓ）、処理を終了する。
【００４３】
一方、ゲイン調整値Ｎが１５を超えていない場合には（ステップＳ１３：Ｎｏ）、ゲイン調整部２０２は、ホワイトバランス調整値（ホワイトバランス調整がなされた映像信号の出力値）に、ゲイン調整値Ｎを加算して、Ｒ，Ｇ，Ｂの各信号のゲイン（出力値）を算出する（ステップＳ１４）。
【００４４】
次に、判断部２０４は、Ｒ，Ｇ，Ｂの各信号のいずれかのゲインが１倍以上であるか否かを判断する（ステップＳ１５）。そして、Ｒ，Ｇ，Ｂの各信号のいずれかのゲインが１倍以上である場合には（ステップＳ１５：Ｙｅｓ）、コントラスト調整部２０１は、ゲイン調整後のＲ，Ｇ，Ｂの信号からなる映像信号のコントラストを減少させる（ステップＳ１６）。
【００４５】
具体的には、コントラスト調整部２０１は、ゲイン調整値が＋１の増加に対して、コントラストを１だけ減少させる。ただし、コントラストの減少の割合は、これに限定されるものではない。
【００４６】
そして、ゲイン調整部２０２は、コントラストが減少した映像信号の出力値に、ゲイン調整値Ｎを加算して、Ｒ，Ｇ，Ｂの各信号のゲイン（出力値）を算出する（ステップＳ１７）。
【００４７】
一方、ステップＳ１５において、Ｒ，Ｇ，Ｂの各信号のいずれのゲインも１倍未満である場合には（ステップＳ１５：Ｎｏ）、ステップＳ１６、Ｓ１７の処理は行われない。
【００４８】
そして、ゲイン調整部２０２は、ゲイン調整後の映像信号の出力値により所定の目標値の色温度に到達したか否かを判断し（ステップＳ１８）、到達していない場合には（ステップＳ１８：Ｎｏ）、ステップＳ１１に戻り、ステップＳ１７までの処理を繰り返し実行する。
【００４９】
一方、ステップＳ１８において、ゲイン調整後の映像信号の出力値により所定の目標値の色温度に到達したと判断された場合には（ステップＳ１８：Ｙｅｓ）、処理を終了する。
【００５０】
このように本実施の形態では、映像信号を構成するＲ，Ｇ，Ｂ各信号に対してゲイン調整値によりゲイン調整を行った結果、Ｒ，Ｇ，Ｂ各信号のゲインのうちいずれかが１倍以上となった場合には、ゲイン調整後の映像信号のコントラストを減少させて、再度、ゲイン調整値によるゲイン調整を行って出力しているので、ホワイトバランスの均一性を維持して、高品質な映像を出力することができる。
【００５１】
（実施の形態２）
実施の形態１では、ゲイン調整後の映像信号のゲインを減少させる調整処理を、ゲイン調整後の映像信号のコントラストを減少させることにより行っていたが、この実施の形態２では、当該調整処理をガンマ補正により行っている。
【００５２】
図１０は、実施の形態２の映像処理部１００５の機能的構成を示すブロック図である。なお、本実施の形態のデジタルテレビ１の構成は、図１を用いて説明した実施の形態１と同様である。
【００５３】
映像処理部１００５は、図２に示すように、コントラスト調整部２０１と、ゲイン調整部２０２と、判断部２０４と、ガンマ補正部１２０３と、３軸ガンマ補正ＬＵＴ（Ｌｏｏｋ  Ｕｐ  Ｔａｂｌｅ）１２０５とを主に備えている。ここで、コントラスト調整部２０１、ゲイン調整部２０２、判断部２０４の機能、構成は実施の形態１と同様である。また、制御部１０、操作部１４の機能、構成も実施の形態１と同様である。
【００５４】
ガンマ補正部１２０３は、実施の形態１と同様に、ゲイン調整後の映像信号に対して、３軸ガンマ補正ＬＵＴ１２０５を用いてガンマ補正を行う。ここで、３軸ガンマ補正ＬＵＴ１２０５は、メモリ等の記憶媒体に格納されている。
【００５５】
本実施の形態のガンマ補正部１２０３は、さらに、判断部２０４により、Ｒ，Ｇ，Ｂ各信号のゲインのいずれかが１倍以上である場合に、３軸ガンマ補正ＬＵＴ１２０５において、ゲインが１倍以上となった色信号に対応するガンマ特性の出力値にオフセット値を加算して、ガンマ補正を行う。
【００５６】
図１１は、表示部７のガンマ特性の一例を示す図である。図１１では、説明の都合上、Ｒ，Ｇ，Ｂ信号のうち、１つの色信号に対するガンマ特性の例を示している。３軸ガンマ補正ＬＵＴ１２０５には、図１１に示すガンマ関数ｙ＝ｘγの逆関数に対応する入力値に対する出力値が対応付けられて登録されている。
【００５７】
このため、ゲインが１倍未満の間は、ガンマ補正部１２０３は、ガンマ関数ｙ＝ｘγの逆関数に対応した３軸ガンマ補正ＬＵＴ１２０５を用いて、ゲイン調整後の映像信号に対してガンマ補正を行う。
【００５８】
そして、ゲインが１倍以上となった場合には、ガンマ補正部１２０３は、１倍以上となった色信号に対応するガンマ特性を、例えば、図１１のガンマ関数ｙ＝ｘ(γ+0.1）のようにオフセット値を与える。すなわち、ガンマ補正部１２０３は、このガンマ関数ｙ＝ｘ(γ+0.1）の逆関数に相当するように、３軸ガンマ補正ＬＵＴ１２０５にオフセットを与えて変更する。そして、ガンマ補正部１２０３は、ゲイン調整後の映像信号に対してガンマ補正を行う。なお、図１１に示したガンマ関数は一例であり、これに限定されるものではない。
【００５９】
次に、以上のように構成された本実施の形態の映像処理について説明する。図１２は、実施の形態２の映像処理の手順を示すフローチャートである。
【００６０】
ユーザからの、Ｒ，Ｇ，Ｂ各信号に対するゲイン調整値の入力から、ゲイン調整によりゲインが１倍以上となったか否かの判断までの処理（ステップＳ１１〜Ｓ１５）については実施の形態１の映像処理と同様に行われる。
【００６１】
ステップＳ１５において、Ｒ，Ｇ，Ｂの各信号のいずれかのゲインが１倍以上である場合には（ステップＳ１５：Ｙｅｓ）、ガンマ補正部１２０３は、メモリ等から３軸ガンマ補正ＬＵＴ１２０５を読み出す（ステップＳ３１）。そして、ガンマ補正部１２０３は、読み出した３軸ガンマ補正ＬＵＴ１２０５に対して映像信号に応じたオフセット値を加算して、ガンマ補正を行う（ステップＳ３２）。
【００６２】
一方、ステップＳ１５において、Ｒ，Ｇ，Ｂの各信号のいずれのゲインも１倍未満である場合には（ステップＳ１５：Ｎｏ）、ステップＳ３１，Ｓ３２の処理は行われない。
【００６３】
そして、ゲイン調整部２０２は、ゲイン調整後の映像信号の出力値により所定の目標値の色温度に到達したか否かを判断し（ステップＳ１８）、到達していない場合には（ステップＳ１８：Ｎｏ）、ステップＳ１１に戻り、ステップＳ３２までの処理を繰り返し実行する。
【００６４】
一方、ステップＳ１８において、ゲイン調整後の映像信号の出力値により所定の目標値の色温度に到達したと判断された場合には（ステップＳ１８：Ｙｅｓ）、処理を終了する。
【００６５】
このように本実施の形態では、映像信号を構成するＲ，Ｇ，Ｂ各信号に対してゲイン調整値によりゲイン調整を行った結果、Ｒ，Ｇ，Ｂ各信号のゲインのうちいずれかが１倍以上となった場合には、３軸ガンマ補正ＬＵＴ１２０５に対して映像信号に応じたオフセット値を加算して、ガンマ補正を行っているので、ホワイトバランスの均一性を維持して、高品質な映像を出力することができる。
【００６６】
なお、実施の形態１および２のゲイン調整部２０２では、ホワイトバランス調整値とゲイン調整値とを加算してゲインを求めているが、これに限定されるものではなく、ホワイトバランス調整値とゲイン調整値との何らかの演算によりゲインを求めるように構成すればよい。
【００６７】
また、実施の形態１および２の操作部１４では、色温度の調整画面を介して、ユーザにＲＧＢ各信号のそれぞれのゲイン調整値を入力させているが、これに限定されるものではなく、ＲＧＢ各信号の少なくともいずれかのゲイン調整値を入力させるように構成してもよい。
【００６８】
なお、実施の形態１および２の映像処理部５，１００５は、ハードウェアで実現してもソフトウェアで実現してもいずれでもよい。
【００６９】
実施の形態１および２のデジタルテレビ１の映像処理部５，１００５をソフトウェアで実現する場合には、実施の形態１および２のデジタルテレビ１の映像処理部５，１００５で実行される映像処理プログラムは、ＲＯＭ１３等に予め組み込まれて提供される。
【００７０】
実施の形態１および２のデジタルテレビ１の映像処理部５，１００５で実行される映像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｃ）等のコンピュータで読み取り可能な記録媒体に記録して提供するように構成してもよい。
【００７１】
さらに、実施の形態１および２のデジタルテレビ１の映像処理部５，１００５で実行される映像処理プログラムを、インターネット等のネットワークに接続されたコンピュータ上に格納し、ネットワーク経由でダウンロードさせることにより提供するように構成しても良い。また、実施の形態１および２のデジタルテレビ１の映像処理部５，１００５で実行される映像処理プログラムをインターネット等のネットワーク経由で提供または配布するように構成しても良い。
【００７２】
実施の形態１および２のデジタルテレビ１の映像処理部５，１００５で実行される映像処理プログラムは、上述した各部（コントラスト調整部２０１、ゲイン調整部２０２、ガンマ補正部２０３，１２０３、判断部２０４）を含むモジュール構成となっており、実際のハードウェアとしてはＣＰＵが上記ＲＯＭ１３から映像処理プログラムを読み出して実行することにより上記各部が主記憶装置上にロードされ、コントラスト調整部２０１、ゲイン調整部２０２、ガンマ補正部２０３，１２０３、判断部２０４が主記憶装置上に生成されるようになっている。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１  デジタルテレビ
２  アンテナ
３  チューナー
４  信号処理部
５，１００５  映像処理部
６  表示処理部
７  表示部
８  音声処理部
９  スピーカー
１０  制御部
１１  通信ライン
１２  ＲＡＭ
１３  ＲＯＭ
１４  操作部
１５  受光部
１６  入出力部
１７  通信部
４０  リモコン
２０１  コントラスト調整部
２０２  ゲイン調整部
２０３，１２０３  ガンマ補正部
２０４  判断部
１２０５  ３軸ガンマ補正ＬＵＴ
【要約】
【課題】ホワイトバランスの均一性を維持して、高品質な映像の出力すること。
【解決手段】実施形態の映像処理装置は、操作部と、ゲイン調整部と、判断部と、処理部とを備える。ゲイン調整部は、ホワイトバランスを維持するためのホワイトバランス調整値として設定された映像信号を入力し、映像信号のＲ信号、Ｇ信号、Ｂ信号のそれぞれについてホワイトバランス調整値と入力されたゲイン調整値とを演算してゲインを求め、Ｒ信号のゲイン、Ｇ信号のゲイン、Ｂ信号のゲインをゲイン調整後の映像信号として出力する。判断部は、Ｒ信号のゲイン、Ｇ信号のゲイン、Ｂ信号のゲインのいずれかが１倍以上であるか否かを判断する。処理部は、Ｒ信号のゲイン、Ｇ信号のゲイン、Ｂ信号のゲインのいずれかが１倍以上である場合に、ゲイン調整後のゲインを減少させる調整処理を行う。
【選択図】図２【図１】
0005330570.tif 000002
【図２】
0005330570.tif 000003
【図３】
0005330570.tif 000004
【図４】
0005330570.tif 000005
【図５】
0005330570.tif 000006
【図６】
0005330570.tif 000007
【図７】
0005330570.tif 000008
【図８】
0005330570.tif 000009
【図９】
0005330570.tif 000010
【図１０】
0005330570.tif 000011
【図１１】
0005330570.tif 000012
【図１２】
0005330570.tif 000013